(57)【要約】【課題】互いに異なる第１プラグコネクタと第２プラグコネクタの装着を可能にし、しかも高さ寸法を小さくすることができるコネクタ装置の提供。【解決手段】第１プラグコネクタ２の電極部２ｃに接続される第１接触部７ａと、第１プラグコネクタとは異なる第２プラグコネクタ３の電極部３ｅに接続される第２接触部８ａとを保持する保持部６を有し、保持部６の上面６ｃに第１接触部７ａと第２接触部８ａを互い違いに配置し、かつ、第１接触部７ａ及び第２接触部８ａの一方の接触部に、対応する第１プラグコネクタ２及び第２プラグコネクタ３の一方のプラグコネクタの電極部が接続されたときに、第１接触部７ａ及び第２接触部８ａの他方の接触部に一方のプラグコネクタの電極部が接触しないように、第１接触部７ａと第２接触部８ａを互いに離隔させて設けた構成にしてある。【選択図】図７
2010182444.tif 000002
【特許請求の範囲】
【請求項１】
第１プラグコネクタの電極部に接続される第１接触部と、上記第１プラグコネクタとは異なる第２プラグコネクタの電極部に接続される第２接触部と、上記第１接触部と上記第２接触部とを保持する保持部を有し、
上記保持部の一方の面に上記第１接触部と上記第２接触部を互い違いに配置し、かつ、上記第１接触部及び上記第２接触部のうちの一方の接触部に、対応する上記第１プラグコネクタ及び上記第２プラグコネクタのうちの一方のプラグコネクタの電極部が接続されたときに、上記第１接触部及び上記第２接触部のうちの他方の接触部に上記一方のプラグコネクタの電極部が接触しないように、上記第１接触部と上記第２接触部を互いに離隔させて設けたことを特徴とするコネクタ装置。
【請求項２】
請求項１に記載のコネクタ装置において、
上記保持部の他方の面に、上記第１接触部と上記第２接触部を互い違いに配置し、かつ、上記保持部を挟んで上記第１接触部及び上記第２接触部のそれぞれを千鳥状に配置したことを特徴とするコネクタ装置。
【請求項３】
請求項１または２に記載のコネクタ装置において、
上記第１プラグコネクタと上記第２プラグコネクタとを選択的に挿入可能な開口部、及び上記第１プラグコネクタと上記第２プラグコネクタのそれぞれに対して共用される収納空間を有するハウジングを備えたことを特徴とするコネクタ装置。
【請求項４】
請求項３に記載のコネクタ装置において、
上記ハウジングは、上記収納空間内に挿入されるプラグコネクタをガイドする第１ガイド部と第２ガイド部を有し、上記第１ガイド部は上記第２ガイド部よりも上記ハウジングの幅方向において外側に形成されて成り、
上記第１プラグコネクタまたは上記第２プラグコネクタの装着時に、上記第１ガイド部と上記第２ガイド部のうちの一方のガイド部のみによって該当するプラグコネクタの幅方向をガイドして位置決めさせた際に、上記ハウジングの幅方向における該当するプラグコネクタと、上記第１ガイド部と上記第２ガイド部のうちの他方のガイド部との間に隙間を有することを特徴とするコネクタ装置。
【請求項５】
請求項１に記載のコネクタ装置において、
上記保持部の上面を下面よりも幅広に形成し、上記第１接触部の端部と上記第２接触部の端部を揃えて配列し、上記保持部の上記上面に備えられる上記第１接触部と上記第２接触部の合計本数を、上記保持部の上記下面に備えられる上記第１接触部と上記第２接触部の合計本数よりも多くしたことを特徴とするコネクタ装置。
【発明の詳細な説明】
【技術分野】
【０００１】
本発明は、異なるプラグコネクタの電極部のそれぞれに接続される複数の接触部を備えたコネクタ装置に関する。
【背景技術】
【０００２】
この種の従来技術として、特許文献１に示されるものがある。この従来技術は、異種プラグコネクタの装着が可能な複合型コネクタであり、ケース本体内の上段に、第１の相手側コネクタであるｅＳＡＴＡプラグの電極部と接触するコンタクト、すなわち接触部を有するｅＳＡＴＡコネクタを配置してある。また、ケース本体内の下段に、第２の相手側コネクタであるＨＤＭＩプラグの電極部と接触するコンタクト、すなわち接触部を有するＨＤＭＩコネクタを配置した構成になっている。
【先行技術文献】
【特許文献】
【０００３】
【特許文献１】特開２００７−１７２９０７号公報
【発明の概要】
【発明が解決しようとする課題】
【０００４】
上述した従来技術は、互いに異なるプラグコネクタの装着を可能にする点で優れた機能を有するものの、ｅＳＡＴＡコネクタとＨＤＭＩコネクタを単に上下に積層したものであることから、ケース本体の高さ寸法が大きくなって、すなわち装置の厚み寸法が大きくなって装置が大型になる問題がある。
【０００５】
本発明は、上述した従来技術における実状からなされたもので、その目的は、互いに異なる第１プラグコネクタと第２プラグコネクタの装着を可能にし、しかも高さ寸法を小さくすることができるコネクタ装置を提供することにある。
【課題を解決するための手段】
【０００６】
この目的を達成するために、本発明に係るコネクタ装置は、第１プラグコネクタの電極部に接続される第１接触部と、上記第１プラグコネクタとは異なる第２プラグコネクタの電極部に接続される第２接触部と、上記第１接触部と上記第２接触部とを保持する保持部を有し、上記保持部の一方の面に上記第１接触部と上記第２接触部を互い違いに配置し、かつ、上記第１接触部及び上記第２接触部のうちの一方の接触部に、対応する上記第１プラグコネクタ及び上記第２プラグコネクタのうちの一方のプラグコネクタの電極部が接続されたときに、上記第１接触部及び上記第２接触部のうちの他方の接触部に上記一方のプラグコネクタの電極部が接触しないように、上記第１接触部と上記第２接触部を互いに離隔させて設けたことを特徴としている。
【０００７】
このように構成した本発明は、例えば第１プラグコネクタが装着されたときには、この第１プラグコネクタの電極部に、保持部の一方の面に保持される第１接触部が接続され、この第１プラグコネクタの電極部に、保持部の一方の面に保持された第２接触部が接触することがなく、第１接触部を介して第１プラグコネクタとの間に、信号の送受信が可能となる。また、第２プラグコネクタが装着されたときには、この第２プラグコネクタの電極部に、保持部の一方の面に保持される第２接触部が接続され、この第２プラグコネクタの電極部に、保持部の一方の面に保持された第１接触部が接触することがなく、第２接触部を介して第２プラグコネクタとの間に、信号の送受信が可能となる。
【０００８】
上述した第１プラグコネクタの電極部に接続される第１接触部と、第２プラグコネクタの電極部に接続される第２接触部は、共に同じ保持部の一面に保持されることから、装置全体を薄くすることができる。すなわち、互いに異なる第１プラグコネクタと第２プラグコネクタとを選択的に装着可能とするとともに、装置の高さ寸法を小さくすることができる。
【０００９】
また、本発明に係るコネクタ装置は、上記発明において、上記保持部の他方の面に、上記第１接触部と上記第２接触部を互い違いに配置し、かつ、上記保持部を挟んで上記第１接触部及び上記第２接触部のそれぞれを千鳥状に配置したことを特徴とするコネクタ装置。
【００１０】
このように構成した本発明は、保持部の他方の面にも、第１プラグコネクタの電極部に接続される第１接触部と、第２プラグコネクタの電極部に接続される第２接触部を設けたことから、プラグコネクタに接続される接触部の数を多くすることができ、信号の送受信機能を向上させることができる。
【００１１】
また、本発明に係るコネクタ装置は、上記発明において、上記第１プラグコネクタと上記第２プラグコネクタとを選択的に挿入可能な開口部、及び上記第１プラグコネクタと上記第２プラグコネクタのそれぞれに対して共用される収納空間を有するハウジングを備えたことを特徴としている。
【００１２】
このように構成した本発明は、第１プラグコネクタと第２プラグコネクタとを同じ開口部から同じ収納空間に挿入させた状態で、これらの第１プラグコネクタの電極部と第２プラグコネクタの電極部を該当する第１接触部あるいは第２接触部に接触させることができるので、ハウジングの高さ寸法を、第１プラグコネクタの高さ寸法及び第２プラグコネクタの高さ寸法のうちの大きい方の高さ寸法とほぼ同等程度の高さ寸法に抑えることができる。また、ハウジングの幅寸法を、第１プラグコネクタの幅寸法及び第２プラグコネクタの幅寸法のうちの大きい方の幅寸法とほぼ同等程度の幅寸法に抑えることができる。
【００１３】
また、本発明に係るコネクタ装置は、上記発明において、上記ハウジングは、上記収納空間内に挿入されるプラグコネクタをガイドする第１ガイド部と第２ガイド部を有し、上記第１ガイド部は上記第２ガイド部よりも上記ハウジングの幅方向において外側に形成されて成り、上記第１プラグコネクタまたは上記第２プラグコネクタの装着時に、上記第１ガイド部と上記第２ガイド部のうちの一方のガイド部のみによって該当するプラグコネクタの幅方向をガイドして位置決めさせた際に、上記ハウジングの幅方向における該当するプラグコネクタと、上記第１ガイド部と上記第２ガイド部のうちの他方のガイド部との間に隙間を有することを特徴としている。
【００１４】
このように構成した本発明は、例えば第１プラグコネクタを第１ガイド部と第２ガイド部のうちの一方のガイド部にガイドさせてハウジング内に挿入し、その電極部が第１接触部に接続するように装着させた際に、第１プラグコネクタと、第１ガイド部及び第２ガイド部のうちの他方のガイド部との間には隙間が形成されるので、第１プラグコネクタのハウジング内への挿入を他方のガイド部に干渉することなく行なうことができる。また、第２プラグコネクタを第１ガイド部と第２ガイド部のうちの他方のガイド部にガイドさせてハウジング内に挿入し、その電極部が第２接触部に接続するように装着させる場合も同様であり、第２プラグコネクタと、第１ガイド部及び第２ガイド部のうちの一方のガイド部との間には隙間が形成されるので、第２プラグコネクタのハウジング内への挿入を一方のガイド部に干渉することなく行なうことができる。
【００１５】
すなわち、第１プラグコネクタと第２プラグコネクタのハウジングの収納空間に対する挿入、排出に際し、第１プラグコネクタと、第１ガイド部及び第２ガイド部のうちの他方のガイド部との干渉を生じさせることなく、また、第２プラグコネクタと、第１ガイド部及び第２ガイド部のうちの一方のガイド部との干渉を生じさせることなく、該当するガイド部を介して第１プラグコネクタと第２プラグコネクタの円滑な挿入、排出を実現させることができる。
【００１６】
また、本発明に係るコネクタ装置は、上記発明において、上記保持部の上面を下面よりも幅広に形成し、上記第１接触部の端部と上記第２接触部の端部を揃えて配列し、上記保持部の上記上面に備えられる上記第１接触部と上記第２接触部の合計本数を、上記保持部の上記下面に備えられる上記第１接触部と上記第２接触部の合計本数よりも多くしたことを特徴としている。
【００１７】
このように構成した本発明は、保持部を幅広な上面を有するようにして、この上面に備えられる第１接触部と第２接触部の合計本数を、保持部の下面に備えられる第１接触部と第２接触部の合計本数よりも多くしたことから、接触部の数を多くすることができ、信号の送受信の機能の向上に貢献する。
【発明の効果】
【００１８】
本発明は、保持部の同じ一方の面に、第１プラグコネクタの電極部に接続される第１接触部と、第２プラグコネクタの電極部に接続される第２接触部を互い違いに配置してあることから、互いに異なる第１プラグコネクタと第２プラグコネクタの装着を可能にし、しかも高さ寸法を小さくすることができ、従来に比べて装置を小型にすることができる。
【図面の簡単な説明】
【００１９】
【図１】本発明に係るコネクタ装置の一実施形態の使用態様を説明する斜視図である。
【図２】本発明に係るコネクタ装置の一実施形態に第１プラグコネクタが挿入された状態を示す斜視図である。
【図３】本発明に係るコネクタ装置の一実施形態に第２プラグコネクタが挿入された状態を示す斜視図である。
【図４】本発明に係るコネクタ装置の一実施形態に挿入される第１プラグコネクタを示す図で、（ａ）図は正面側から見た斜視図、（ｂ）図は背面側から見た斜視図、（ｃ）図は正面図、（ｄ）図は下面図である。
【図５】本発明に係るコネクタ装置の一実施形態に挿入される第２プラグコネクタを示す図で、（ａ）図は正面側から見た斜視図、（ｂ）図は背面側から見た斜視図、（ｃ）図は正面図、（ｄ）図は下面図である。
【図６】本発明に係るコネクタ装置の一実施形態を示す図で、（ａ）図は正面側から見た斜視図、（ｂ）図は正面図、（ｃ）図は背面側から見た斜視図である。
【図７】図６の（ｂ）図の要部拡大図である。
【図８】本発明に係るコネクタ装置の一実施形態に備えられるガイド構造を示す図で、（ａ）図は本実施形態に第１プラグコネクタが挿入された状態を示す正面図、（ｂ）図は本実施形態に第２プラグコネクタが挿入された状態を示す正面図である。
【図９】図８の（ａ）図の要部拡大図で、（ａ）図は同図８の（ａ）図の左側部分の要部拡大図、（ｂ）図は同図８の（ａ）図の右側部分の要部拡大図である。
【図１０】図８の（ｂ）図の要部拡大図で、（ａ）図は同図８の（ｂ）図の左側部分の要部拡大図、（ｂ）図は同図８の（ｂ）図の右側部分の要部拡大図である。
【図１１】本実施形態に係るコネクタ装置に第１プラグコネクタが装着された状態を示す図で、（ａ）図は側面図、（ｂ）図は要部を破断して示す斜視図である。
【図１２】本実施形態に係るコネクタ装置に第２プラグコネクタが装着された状態を示す図で、（ａ）図は側面図、（ｂ）図は要部を破断して示す斜視図である。
【図１３】本発明に係るコネクタ装置の別の実施形態を示す図で、（ａ）図は斜視図、（ｂ）図は正面図である。
【図１４】本発明に係るコネクタ装置のさらに別の実施形態を示す要部拡大平面図である。
【発明を実施するための形態】
【００２０】
以下、本発明に係るコネクタ装置の実施の形態を図に基づいて説明する。
【００２１】
［本実施形態に係るコネクタ装置の使用態様］
図１は本発明に係るコネクタ装置の一実施形態の使用態様を説明する斜視図、図２は本発明に係るコネクタ装置の一実施形態に第１プラグコネクタが挿入された状態を示す斜視図、図３は本発明に係るコネクタ装置の一実施形態に第２プラグコネクタが挿入された状態を示す斜視図である。
【００２２】
これらの図１〜３に示すように、本発明の一実施形態に係るコネクタ装置１は、互いに異なる第１プラグコネクタ２と、第２プラグコネクタ３とを選択的に装着可能になっている。
【００２３】
［本実施形態に使用される第１プラグコネクタ］
図４は本発明に係るコネクタ装置の一実施形態に挿入される第１プラグコネクタを示す図で、（ａ）図は正面側から見た斜視図、（ｂ）図は背面側から見た斜視図、（ｃ）図は正面図、（ｄ）図は下面図である。
【００２４】
本実施形態に係るコネクタ装置１に装着される第１プラグコネクタ２は、金属板を成形してなる外枠２ａを有し、この外枠２ａの両側部の一方の側には誤挿入防止に活用されるテーパ部２ａ１が備えられている。図４の（ａ）（ｃ）図に示すように、内部に空間部２ｂが形成されている。この空間部２ｂ内の上側に複数の電極部２ｃが、また、下側に複数の電極部２ｄがそれぞれ備えられている。
【００２５】
上側の電極部２ｃと下側の電極部２ｄとは、例えば同じ形状寸法に形成されており、それぞれ同一ピッチで配列されている。下側の電極部２ｄのそれぞれは、上側の隣り合う電極部２ｃの間に位置するように配置されている。すなわち、上側の電極部２ｃと下側の電極部２ｄとによって全体が千鳥状に配列されている。
【００２６】
同図４の（ｂ）図に示すように、上述の上側の電極部２ｃには外部接続部２ｃ１が連設され、上述の下側の電極部２ｄには外部電極部２ｄ１が連設されている。また、図４の（ａ）（ｂ）図に示すように、外枠２ａの上面には一対の角穴２ｅが形成され、また、図４の（ｄ）図に示すように、外枠２ａの下面にも一対の角穴２ｆが形成されている。この第１プラグコネクタ２は、図４の（ｃ）図に示すように、幅寸法Ａ１、高さ寸法Ｂ１の扁平な形状に形成されている。
【００２７】
［本実施形態に使用される第２プラグコネクタ］
図５は本発明に係るコネクタ装置の一実施形態に挿入される第２プラグコネクタを示す図で、（ａ）図は正面側から見た斜視図、（ｂ）図は背面側から見た斜視図、（ｃ）図は正面図、（ｄ）図は下面図である。
【００２８】
本実施形態に係るコネクタ装置１に装着される第２プラグコネクタ３は、図５の（ａ）（ｂ）図に示すように、金属板によって成形されたボックス状の基体３ａと、この基体３ａに連設された突出部３ｂとから成っている。同図５の（ａ）（ｃ）図に示すように、突出部３ｂの内部に空間部３ｄが形成されている。この空間部３ｄは上側部分が下側部分に比べて幅広となっている。また、同図５の（ｃ）図に示すように、この空間部３ｄ内の上側に複数の電極部３ｅが、また、下側に複数の電極部３ｆが備えられている。上側の電極部３ｅは下側の電極部３ｆよりも多く設けられている。また、複数の電極部３ｅ、及び複数の電極部３ｆは、それぞれ同一のピッチで配列されており、下側の電極部３ｆのそれぞれは、上側の隣り合う電極部３ｅの間に位置するように配置されている。すなわち、上側の電極部３ｅと下側の電極部３ｆとが千鳥状（交互）に配列されている。
【００２９】
また、同図５の（ｄ）図に示すように、突出部３ｂの底面には一対の角穴３ｇが形成されている。同図５の（ｃ）図に示すように、この第２プラグコネクタ３の突出部３ｂの幅寸法は、第１プラグコネクタ２の幅寸法Ａ１より小さい幅寸法Ｃに設定され、突出部３ｂの高さ寸法は、第１プラグコネクタ２の幅寸法Ｂ１とほとんど変わらない程度のわずかに小さい高さ寸法Ｄに設定されている。
【００３０】
［本実施形態に係るコネクタ装置の基本構成］
図６は本発明に係るコネクタ装置の一実施形態を示す図で、（ａ）図は正面側から見た斜視図、（ｂ）図は正面図、（ｃ）図は背面側から見た斜視図である。
【００３１】
この図６の（ａ）（ｂ）図に示すように、本実施形態に係るコネクタ装置１は、金属板から成るハウジング５を備え、このハウジング５は、第１プラグコネクタ２と、この第１プラグコネクタ２よりも幅寸法が小さな第２プラグコネクタ３とが選択的に挿入可能な開口部５ａと、この開口部５ａに連設され、第１プラグコネクタ２と第２プラグコネクタ３のそれぞれに共用される空間部５ｂを備えている。ハウジング５の両側部のうちの一方の側部に、誤挿入防止用のテーパ部５ｃを設けてある。
【００３２】
また、ハウジング５の上面には、第１プラグコネクタ２の一対の角穴２ｅのそれぞれが挿入される一対の保持部材、すなわち上面の金属板材から切り起こして形成されるばね片５ｄを設けてある。また、ハウジング５の底面には、第１プラグコネクタ２の一対の角穴２ｆのそれぞれに挿入される一対の保持部材、すなわちばね片５ｅと、第２プラグコネクタ３の一対の角穴３ｇのそれぞれに挿入される一対の保持部材、すなわちばね片５ｆとを設けてある。これらのばね片５ｅ，５ｆのそれぞれは、底面を形成する金属板材から切り起こして形成したものである。上述したばね片５ｄ，５ｅ，５ｆは、ハウジング５に挿入された第１プラグコネクタ２、または、第２プラグコネクタ３を、それらの厚み方向に付勢して保持する保持部材を構成している。
【００３３】
ハウジング５に設けた収納空間５ｂの内部には、後述する第１接触部７ａ，９ａ、及び第２接触部８ａ，１０ａを保持する合成樹脂より成る保持部６を配置してある。この保持部６の形状寸法は、上述した第２プラグコネクタ３の空間部３ｄとほぼ同等の形状寸法であって、この空間部３ｄに嵌入可能な形状寸法に設定してある。すなわち、保持部６は上面６ｃを下面６ｄよりも幅広に形成してある。また、ハウジング５の収納空間５ｂは、上述した第１プラグコネクタ２の外枠２ａの幅寸法Ａ１とほぼ同じ幅寸法Ａを有するとともに、外枠２ａの高さ寸法Ｂ１とほぼ同じ幅寸法Ｂを有し、外枠２ａが嵌入可能な形状寸法に設定してある。
【００３４】
［第１接触部と第２接触部の配列構造］
図７は図６の（ｂ）図の要部拡大図である。この図７に示すように、保持部６の一方の面、例えば上面６ｃに、保持部の同図７の左側に位置する側壁６ａを基準として、第１プラグコネクタ２の電極部２ｃに接続される第１接触部７ａと、第２プラグコネクタ３の電極部３ｅに接続される第２接触部８ａとを互い違いに配置し、かつ、第１接触部７ａ及び第２接触部８ａのうちの一方の接触部に、対応する第１プラグコネクタ２及び第２プラグコネクタ３のうちの一方のプラグコネクタが接続されたときに、第１接触部７ａ及び第２接触部８ａのうちの他方の接触部に、上述した一方のプラグコネクタの電極部が接触しないように、第１接触部７ａと第２接触部８ａとを互いに離隔させて設けてある。複数の第１接触部７ａは例えば同一形状寸法に形成され、同一ピッチで設けてある。また、複数の第２接触部８ａも例えば互いに同一形状寸法に形成され、同一ピッチで設けてある。
【００３５】
保持部６の下面６ｄにも、第１プラグコネクタ２の電極部２ｄに接続される第１接触部９ａと、第２プラグコネクタ３の電極部３ｆに接続される第２接触部１０ａとを互い違いに配置し、かつ、第１接触部９ａ及び第２接触部１０ａのうちの一方の接触部に、対応する第１プラグコネクタ２及び第２プラグコネクタ３のうちの一方のプラグコネクタが接続されたときに、第１接触部９ａ及び第２接触部１０ａのうちの他方の接触部に、上述した一方のプラグコネクタの電極部が接触しないように、第１接触部９ａと第２接触部１０ａを互いに離隔させて設けてある。複数の第１接触部９ａも例えば互いに第１接触部７ａと同等の形状寸法に形成され、同一ピッチで設けてある。複数の第２接触部１０ａも例えば互いに第２接触部８ａと同等の形状寸法に形成され、同一ピッチで設けてある。
【００３６】
保持部６を挟んで上面６ｃの隣り合う第１接触部７ａの間に下面６ｄの第１接触部９ａが位置するように、これらの第１接触部７ａ，９ａを千鳥状に配置してある。また、保持部６を挟んで上面６ｃの隣り合う第２接触部８ａ間に下面６ｄの第２接触部１０ａが位置するように、これらの第２接触部８ａ，１０ａを千鳥状に配置してある。すなわち、第１接触部７ａ，９ａによって形成される千鳥状と、第２接触部８ａ，１０ａによって形成される千鳥状とが互いに織り込まれるように配置されている。
【００３７】
保持部６の上面６ｃの第１接触部７ａの端部と第２接触部８ａの端部を互いに揃えて配列してある。保持部６の下面６ｄの第１接触部９ａの端部と第２接触部１０ａの端部も、互いに揃えて配列してある。すなわち、第１接触部７ａ，９ａと第２接触部８ａ，１０ａは側壁６ａ側を基準として配列されている。保持部６の上面６ｃは下面６ｄよりも幅広に形成してあり、その側壁６ｂ側の幅広部分を利用することによって、保持部６の上面６ｃに保持される第１接触部７ａと第２接触部８ａの合計本数を、保持部６の下面６ｄに備えられる第１接触部９ａと第２接触部１０ａの合計本数よりも多く設定してある。
【００３８】
なお、図６の（ｃ）図に示すように、保持部６の上面６ｃに配置される第１接触部７ａのそれぞれは、外部接続部７ｂに連設されて、この外部接続部７ｂとともに端子を構成し、保持部６の上面６ｃに配置される第２接触部８ａのそれぞれは、外部接続部８ｂに連設されて、この外部接続部８ｂとともに別の端子を構成している。同様に、保持部６の下面６ｄに配置される第１接触部９ａのそれぞれは、外部接続部９ｂに連設されて、この外部接続部９ｂとともに端子を構成し、保持部６の下面６ｄに配置される第２接触部１０ａのそれぞれは、外部接続部１０ｂに連設されて、この外部接続部１０ｂとともに別の端子を構成している。
【００３９】
［本実施形態に備えられるプラグコネクタのガイド構造］
図８は本発明に係るコネクタ装置の一実施形態に備えられるガイド構造を示す図で、（ａ）図は本実施形態に第１プラグコネクタが挿入された状態を示す正面図、（ｂ）図は本実施形態に第２プラグコネクタが挿入された状態を示す正面図、図９は図８の（ａ）図の要部拡大図で、（ａ）図は同図８の（ａ）図の左側部分の要部拡大図、（ｂ）図は同図８の（ａ）図の右側部分の要部拡大図、図１０は図８の（ｂ）図の要部拡大図で、（ａ）図は同図８の（ｂ）図の左側部分の要部拡大図、（ｂ）図は同図８の（ｂ）図の右側部分の要部拡大図である。
【００４０】
また、本実施形態に係るコネクタ装置１は、ハウジング５の収納空間５ｂ内に挿入されるプラグコネクタをガイドする第１ガイド部と第２ガイド部を有している。第１ガイド部は第２ガイド部よりもハウジング５の幅方向において外側に形成されており、第１プラグコネクタ２または第２プラグコネクタ３の装着時に、第１ガイド部と第２ガイド部のうちの一方のガイド部のみによって該当するプラグコネクタの幅方向をガイドして位置決めさせた際に、ハウジング５の幅方向における該当するプラグコネクタと、第１ガイド部と第２ガイド部の他方のガイド部との間に隙間を有する構成にしてある。
【００４１】
例えば、第１ガイド部は第１プラグコネクタ２のガイドに活用されるものであり、図８の（ａ）図に示すように、第１プラグコネクタ２の外枠２ａを基準としてハウジング５の幅方向を位置決めするガイド部、例えばハウジング５の収納空間５ｂの側部を形成する内側壁、すなわち第１プラグコネクタ２の挿入方向の奥側から開口部５ａに向けて延びる内側壁１１ａ，１１ｂから成っている。第１プラグコネクタ２の外枠２ａの上面、下面のそれぞれは、ハウジング５の天井面１１ｃ、底面１１ｄのそれぞれによってガイドされるようになっている。なお、ハウジング５の開口部５ａの上部及び下部のそれぞれには、第１プラグコネクタ２の外枠２ａ、及び第２プラグコネクタ３の突出部３ｂを案内するガイド部５ａ１，５ａ２も設けてある。
【００４２】
第２ガイド部は第２プラグコネクタ３のガイドに活用されるものであり、図８の（ｂ）図に示すように、第２プラグコネクタ３の突出部３ｂの外枠よりも内側に形成された係合部、すなわち上述したハウジング５内に設けられる保持部６に係合する第２プラグコネクタ３の空間部３ｄを基準として位置決めを行なうガイド部、例えば図１０の（ａ）（ｂ）図に示す保持部６の、第２プラグコネクタ３の挿入方向の奥側から開口部５ａに向けて延びる側壁６ａ，６ｂから成っている。第２プラグコネクタ３の突出部３ｂの外枠の上面、下面のそれぞれは、ハウジング５の天井面１１ｃ、底面１１ｄのそれぞれによってガイドされるようになっている。
【００４３】
ところで、第１プラグコネクタ２の装着に際しては、図８の（ａ）図に示すように、第１ガイド部すなわちハウジング５の内側壁１１ａ，１１ｂのみによってこの第１プラグコネクタ２の幅方向Ｗ１をガイドして位置決めさせるが、このとき、ハウジング５の幅方向における第１プラグコネクタ２の空間部２ｂの両側壁面２ｂ１，２ｂ２と、第２ガイド部すなわち保持部６の側壁６ａ，６ｂのそれぞれの間に、図９の（ａ）（ｂ）図に示すように隙間１２，１３が形成されるように、保持部６の形状寸法と、第１プラグコネクタ２の空間部２ｂの形状寸法との関係を設定してある。
【００４４】
また、第２プラグコネクタ３の装着に際しては、図８の（ｂ）図に示すように、第２ガイド部である保持部６の側壁６ａ，６ｂのみによってこの第２プラグコネクタ３の幅寸法Ｗ２をガイドして位置決めさせるが、このとき、ハウジング５の幅方向における第２プラグコネクタ３と、第１ガイド部であるハウジング５の内側壁１１ａ，１１ｂのそれぞれとの間に、図１０の（ａ）（ｂ）図に示すように隙間１４，１５が形成されるように、ハウジング５の収納空間５ｂの形状寸法と、第２プラグコネクタ３の突出部３ｂの形状寸法との関係を設定してある。
【００４５】
［第１プラグコネクタの本実施形態への装着］
図１１は本実施形態に係るコネクタ装置に第１プラグコネクタが装着された状態を示す図で、（ａ）図は側面図、（ｂ）図は要部を破断して示す斜視図である。
【００４６】
第１プラグコネクタ２の挿入に際して、第１プラグコネクタ２のテーパ部２ａ１がハウジング５のテーパ部５ｃに適合するように、この第１プラグコネクタ２を配置し、図１１の（ａ）図に示すように、第１プラグコネクタ２がハウジング５の開口部５ａに設けられたガイド部５ａ１，５ａ２にガイドされるようにして、また、第１プラグコネクタ２の幅方向Ｗ１がハウジング５の内側壁１１ａ，１１ｂにガイドされるようにして、ハウジング５の収納空間５ｂに挿入される。このとき、ハウジング５のばね片５ｄのそれぞれが第１プラグコネクタ２の上面の角穴２ｅのそれぞれに挿入され、ハウジング５のばね片５ｅが第１プラグコネクタ２の下面の角穴２ｆに挿入される。このようにして第１プラグコネクタ２の外枠２ａがハウジング５の収納空間５ｂに嵌入され、第１プラグコネクタ２が保持されてハウジング５に装着された状態では、図１１の（ｂ）図に示すように、第１プラグコネクタ２の上側の電極部２ｃのそれぞれが、ハウジング５内の保持部６の上面６ｃの第１接触部７ａに接触し、第２接触部８ａには接触することがない。また、第１プラグコネクタ２の下側の電極部２ｄのそれぞれが、保持部６の下面６ｄの第１接触部９ａに接触し、第２接触部１０ａには接触することがない。これによって、第１接触部７ａ，９ａを介して第１プラグコネクタ２に対する信号の送受信が可能となる。
【００４７】
［第２プラグコネクタの本実施形態への装着］
図１２は本実施形態に係るコネクタ装置に第２プラグコネクタが装着された状態を示す図で、（ａ）図は側面図、（ｂ）図は要部を破断して示す斜視図である。
【００４８】
第２プラグコネクタ３の挿入に際して、第２プラグコネクタ３の突出部３ｂの空間部３ｄの形状がハウジング５の保持部６の形状に適合するように、この第２プラグコネクタ３を配置し、図１２の（ａ）図に示すように、第２プラグコネクタ３の突出部３ｂがハウジング５の開口部５ａに設けられたガイド部５ａ１，５ａ２にガイドされるようにして、また、第２プラグコネクタ３の幅方向Ｗ２が保持部６の側壁６ａ，６ｂにガイドされるようにして、ハウジング５の収納空間５ｂに挿入される。このとき、ハウジング５のばね片５ｄのそれぞれによって第２プラグコネクタ３の上面が押圧され、ハウジング５のばね片５ｆが第２プラグコネクタ３の突出部３ｂの下面の角穴３ｇに挿入される。このようにして第２プラグコネクタ３の突出部３ｂの空間部３ｄ内にハウジング５の保持部６が嵌入され、第２プラグコネクタ３が保持されてハウジング５に装着された状態では、図１２の（ｂ）図に示すように、第２プラグコネクタ３の上側の電極部３ｅのそれぞれが、ハウジング５内の保持部６の上面６ｃの第２接触部８ａに接触し、第１接触部７ａには接触することがない。また、第２プラグコネクタ３の下側の電極部３ｆのそれぞれが、保持部６の下面６ｄの第２接触部１０ａに接触し、第１接触部９ａには接触することがない。これによって、第２接触部８ａ，１０ａを介して第２プラグコネクタ３に対する信号の送受信が可能となる。
【００４９】
［本実施形態の効果］
上述のように構成した本実施形態に係るコネクタ装置によれば、保持部６の上面６ｃに保持され、第１プラグコネクタ２の電極部２ｃに接続される第１接触部７ａと、保持部６の上面６ｃに保持され、第２プラグコネクタ３の電極部３ｅに接続される第２接触部８ａとは、共に同じ保持部６の上面６ｃに保持されることから、装置全体を薄くすることができる。また、保持部６の下面６ｄに保持され、第１プラグコネクタ２の電極部２ｄに接続される第１接触部９ａと、保持部６の下面６ｄに保持され、第２プラグコネクタ３の電極部３ｆに接続される第２接触部１０ａとは、共に同じ保持部６の下面６ｄに保持されることから、装置全体を薄くすることができる。すなわち、互いに異なる第１プラグコネクタ２と第２プラグコネクタ３とを選択的に装着可能とするとともに、装置の高さ寸法を小さくすることができ、装置の小型化を実現させることができる。
【００５０】
また、保持部６の上面６ｃと、下面６ｄのそれぞれに、第１接触部７ａと第２接触部８ａ、及び第１接触部９ａと第２接触部１０ａをそれぞれ設けたことから、プラグコネクタに接続される接触部の数を多くすることができ、信号の送受信機能を向上させることができ、実用性に富む。
【００５１】
また、保持部６を幅広な上面６ｃを有するようにして、この上面６ｃに備えられる第１接触部７ａと第２接触部８ａの合計本数を、保持部６の下面６ｄに備えられる第１接触部９ａと第２接触部１０ａの合計本数よりも多くしたことから、接触部の数を多くすることができ、信号の送受信の機能の向上に貢献し、さらに実用的である。
【００５２】
また、第１プラグコネクタ２と、第２プラグコネクタ３の突出部３ｂとを同じハウジング５の開口部５ａから収納空間５ｂに挿入させた状態で、これらの第１プラグコネクタ２の電極部２ｃ，２ｄと、第２プラグコネクタ３の電極部３ｅ，３ｆを、それぞれ該当する第１接触部７ａ，９ａ、あるいは第２接触部８ａ，１０ａに接触させることができるので、ハウジング５の高さ寸法Ｂを、第１プラグコネクタ２の高さ寸法Ｂ１及び第２プラグコネクタ３の高さ寸法Ｄのうちの大きい方の高さ寸法Ｂ１とほぼ同程度の高さ寸法に抑えることができる。また、ハウジング５の幅寸法Ａを、第１プラグコネクタ２の幅寸法Ａ１及び第２プラグコネクタ３の幅寸法Ｃのうちの大きい方の幅寸法Ａ１とほぼ同程度の幅寸法に抑えることができる。これらによっても装置の小型化を実現させることができる。
【００５３】
また、第１プラグコネクタ２を第１ガイド部であるハウジング５の内側壁１１ａ，１１ｂにガイドさせてハウジング５の収納空間５ｂに挿入し、その電極部２ｃ，２ｄが第１接触部７ａ，９ａに接続するように装着させた際に、第１プラグコネクタ２と、第２ガイド部である保持部６の側壁６ａ，６ｂとの間には隙間１２，１３が形成されるので、第１プラグコネクタ２のハウジング５の収納空間５ｂへの挿入を第２ガイド部である保持部６の側壁６ａ，６ｂに干渉することなく行なうことができる。
【００５４】
また、第２プラグコネクタ３の突出部３ｂを第２ガイド部である保持部６の側壁６ａ，６ｂにガイドさせてハウジング５の収納空間５ｂに挿入し、その電極部３ｅ，３ｆが第２接触部８ａ，１０ａに接続するように装着させる場合も同様であり、第２プラグコネクタ３の突出部３ｂと、第１ガイド部であるハウジング５の内側壁１１ａ，１１ｂとの間には隙間１４，１５が形成されるので、第２プラグコネクタ３の突出部３ｂのハウジング５の収納空間５ｂへの挿入を、第１ガイド部であるハウジング５の内側壁１１ａ，１１ｂに干渉することなく行なうことができる。
【００５５】
すなわち、第１プラグコネクタ２と第２プラグコネクタ３のハウジング５の収納空間５ｂに対する挿入、排出に際し、第１プラグコネクタ２と、第２ガイドである保持部６の側壁６ａ，６ｂとの干渉を生じさせることなく、また、第２プラグコネクタ３と第１ガイド部であるハウジング５の内側壁１１ａ，１１ｂとの干渉を生じさせることなく、該当するガイド部を介して第１プラグコネクタ２と第２プラグコネクタ３の円滑な挿入、排出を実現させることができる。これによって信頼性の高い装置が得られる。
【００５６】
また、第１プラグコネクタ２の外枠２ａを利用して、また、第２プラグコネクタ３の空間部２ｂの側壁面２ｂ１，２ｂ２を利用して、第１プラグコネクタ２及び第２プラグコネクタ３のそれぞれの位置決めを行なう第１ガイド部及び第２ガイド部を備えたものであるので、上述のように第１ガイド部をハウジング５の内側壁１１ａ，１１ｂのように簡単に構成でき、また、上述のように第２ガイド部を保持部６の側壁６ａ，６ｂのように簡単に構成でき、実用性に優れている。
【００５７】
また、ハウジング５の内側壁１１ａ，１１ｂから成る第１ガイド部と、保持部６の側壁６ａ，６ｂから成る第２ガイド部とがハウジング５の奥側から開口部５ａに向けて延びているので、第１プラグコネクタ２及び第２プラグコネクタ３の開口部５ａへの挿入の初期段階で、該当するプラグコネクタの挿入方向へのガイドと、ハウジング５の幅方向への位置決めを精度良く行なうことができる。これによっても信頼性の高い装置が得られる。
【００５８】
また、ハウジング５に挿入された第１プラグコネクタ２、及び第２プラグコネクタ３を、それらの厚み方向に付勢して保持する保持部材であるばね片５ｄ，５ｅにより、第１プラグコネクタ２及び第２プラグコネクタ３のうちの該当するプラグコネクタと、第１ガイド部及び第２ガイド部のうちの該当するガイド部との間に、隙間１２，１３、あるいは隙間１４，１５を設けても、ハウジング５に挿入された第１プラグコネクタ２、または第２プラグコネクタ３を確実に保持することができる。これによっても信頼性の高い装置が得られる。
【００５９】
［別の実施形態］
図１３は本発明に係るコネクタ装置の別の実施形態を示す図で、（ａ）図は斜視図、（ｂ）図は正面図、図１４は本発明に係るコネクタ装置のさらに別の実施形態を示す要部拡大平面図である。
【００６０】
上述した図１〜１２に示した実施形態は、ハウジング５内に配置される保持部６の上面６ｃに設けられる第１接触部７ａと第２接触部８ａ、及び保持部６の下面６ｄに設けられる第１接触部９ａと第２接触部１０ａのピッチをそれぞれ同一のピッチとしてあるが、本発明はこのように接触部を同一ピッチで設けることには限られない。図１３に示す別の実施形態は、ハウジング５内に配置される保持部６の上面６ｃに設けられる第１接触部２１のピッチ、及び第２接触部２２のピッチのそれぞれを一部異ならせるように設けた構成にしてある。保持部６の下面６ｄに設けられる第１接触部２３のピッチ、及び第２接触部２４のピッチについても同様であり、それぞれ一部異ならせるように設けた構成にしてある。このように接触部のピッチを異ならせて構成してもよい。
【００６１】
また、上述した図１〜１２に示した実施形態は、ハウジング５内に配置される保持部６の上面６ｃに設けられる第１接触部７ａと第２接触部８ａ、及び保持部６の下面６ｄに設けられる第１接触部８ａと第２接触部１０ａの幅寸法をそれぞれ同じにしてあるが、本発明はこのように接触部の幅寸法を同じにすることには限られない。図１３の（ｂ）図に示す別の実施形態は、保持部６の上面６ｃの左側から４番目の第１接触部２１の幅寸法を、他の第１接触部２１の幅寸法に比べて大きく設定した構成にしてある。このように一部の接触部の幅寸法を他の接触部の幅寸法に比べて大きく、あるいは小さく設定した構成にしてもよい。図１３の（ａ）（ｂ）図に示す別の実施形態における他の構成は、上述した図１〜１２に示した実施形態と同等である。
【００６２】
なお、上述した図１〜１２に示した実施形態は、ハウジング５内に配置される保持部６の上面６ｃに設けられる第１接触部７ａと第２接触部８ａ、及び保持部６の下面６ｄに設けられる第１接触部８ａと第２接触部１０ａの高さ寸法を全て同じにしてあるが、本発明はこのように接触部の高さ寸法を同じにすることには限られない。保持部６に設けられる第１接触部２１，２３のうちの一部の接触部の高さ寸法を、他の第１接触部２１，２３の高さ寸法と異ならせた構成にしてもよい。同様に、第２接触部２２，２４のうちの一部の接触部の高さ寸法を、他の第２接触部２２，２４の高さ寸法と異ならせた構成にしてもよい。
【００６３】
また、上述した図１〜１２に示した実施形態は、ハウジング５内に配置される保持部６の上面６ｃに設けられる第１接触部７ａと第２接触部８ａの端部、及び保持部６の下面６ｄに設けられる第１接触部８ａと第２接触部１０ａの端部をそれぞれ揃えた構成にしてあるが、本発明はこのように第１接触部の端部と第２接触部の端部を揃えた構成にすることには限られない。図１４に示す別の実施形態は、第１プラグコネクタ２の電極部２５と接続される第１接触部２６の端部と、第２プラグコネクタ３の電極部２７と接続される第２電極部２８の端部とを位置を異ならせた構成になっている。このように第１接触部の端部と第２接触部の端部の位置を異ならせた構成にしてもよい。図１４に示す別の実施形態における他の構成は、上述した図１〜１２に示した実施形態と同等である。
【００６４】
上述のそれぞれの別の実施形態のように構成したものでも、基本構成については図１〜１２に示した実施形態と同等の構成にしてあることから、図１〜１２に示した実施形態と同様の作用効果を得ることができる。
【符号の説明】
【００６５】
１    コネクタ装置
２    第１プラグコネクタ
２ａ    外枠
２ｂ    空間部
２ｂ１  側壁面
２ｂ２  側壁面
２ｃ    電極部
２ｄ    電極部
２ｅ    角穴
２ｆ    角穴
３    第２プラグコネクタ
３ｂ    突出部
３ｄ    空間部
３ｄ１  内側壁（係合部）
３ｄ２  内側壁（係合部）
３ｅ    電極部
３ｆ    電極部
３ｇ    角穴
５    ハウジング
５ａ    開口部
５ｂ    収納空間
５ｄ    ばね片（保持部材）
５ｅ    ばね片（保持部材）
５ｆ    ばね片（保持部材）
６    保持部
６ａ    側壁（第２ガイド部）
６ｂ    側壁（第２ガイド部）
６ｃ    上面
６ｄ    下面
７ａ    第１接触部
７ｂ    外部接続部
８ａ    第２接触部
８ｂ    外部接続部
９ａ    第１接触部
９ｂ    外部接続部
１０ａ  第２接触部
１０ｂ  外部接続部
１１ａ  内側壁（第１ガイド部）
１１ｂ  内側壁（第２ガイド部）
１１ｃ  天井面
１１ｄ  底面
１２    隙間
１３    隙間
１４    隙間
１５    隙間
２１    第１接触部
２２    第２接触部
２３    第１接触部
２４    第２接触部
２５    電極部
２６    第１接触部
２７    電極部
２８    第２接触部
Ａ１    幅寸法
Ｂ１    高さ寸法
Ｃ    幅寸法
Ｄ    高さ寸法
Ａ    幅寸法
Ｂ    高さ寸法
Ｗ１    幅方向
Ｗ２    幅方向
【図１】
2010182444.tif 000003
【図２】
2010182444.tif 000004
【図３】
2010182444.tif 000005
【図４】
2010182444.tif 000006
【図５】
2010182444.tif 000007
【図６】
2010182444.tif 000008
【図７】
2010182444.tif 000009
【図８】
2010182444.tif 000010
【図９】
2010182444.tif 000011
【図１０】
2010182444.tif 000012
【図１１】
2010182444.tif 000013
【図１２】
2010182444.tif 000014
【図１３】
2010182444.tif 000015
【図１４】
2010182444.tif 000016